(57)【要約】【課題】簡単な構成で芝の刈り高さを大きく変化させて、芝の刈り高さを調整することができる芝刈り機を提供すること。【解決手段】前輪には従来の芝の刈り高さの調整機構を装備し、後輪を支えるホルダーに後輪の車軸を軸支する軸支部を複数箇所設け、後輪側の高さを複数段に変更可能とした。このような構成により、芝刈り機の使用者は、前輪に装備された従来の芝の刈り高さの調整機構による芝の刈り高さの調整幅と、後輪を支えるホルダーの軸支位置の選択による後輪側の高さ変更の組み合わせにより、芝の刈り高さを大きく変化させて、芝の刈り高さを調整することが可能となる。【選択図】図４
2010057397.tif 000002
【特許請求の範囲】
【請求項１】
前輪側に芝の刈り刃の高さ調整機構を備えた芝刈り機であって、該芝刈り機の後輪側において本体シャシーの下部に取付部を設け、後輪の車軸を軸支する軸支部を複数箇所設けたホルダーを該取付部に取り付け、前記後輪側の高さを調整できるようにしたことを特徴とする芝刈り機。
【請求項２】
上記取付部の最下端面と上記車軸との間に上記ホルダーの一部が存在する場合と存在しない場合の少なくとも二通りの取り付け方が可能であるホルダーを備えた請求項１の芝刈り機。
【発明の詳細な説明】
【技術分野】
【０００１】
本発明は、芝刈り機にかかり、特に、芝の刈り高さの調整ができる芝刈り機に関するものである。
【背景技術】
【０００２】
図６に示すように、特許文献１に開示された従来の芝刈り機においては、芝刈り機の前輪に芝の刈り高さを調整する機構が設けられている。図６において、芝刈り機本体の左右の側板に枢軸１０６を支点にして回動できるレバー部材１０７がそれぞれ１個ずつ対をなして設けてあり、この対をなすレバー部材１０７は連結板１０８によって連結されている。この連結板１０８には調整ノブ１１１が設けられており、調整ノブ１１１を移動させることにより連結板１０８が移動し、両レバー部材１０７は枢軸１０６を中心にして同時に回動するようになっている。レバー部材１０７には連結板１０８と平行に設けられた車軸１０９aが取り付けられており、この車軸１０９ａには前輪１０９が取り付けられているので、調整ノブ１１１の移動により前輪１０９が上下方向に動き、芝の刈り高さが調整できるように構成されている。
【０００３】
【特許文献１】特開平１１−１０３６３４号公報
【発明の開示】
【発明が解決しようとする課題】
【０００４】
しかしながら、短めに芝を育成する場合には、刈り刃の高さが低い状態で刈り刃高さを調整しながら使用し、長めに芝を育成する場合には、刈り刃の高さが高い状態で刈り刃高さを調整しながら使用したいとういう要望があったが、上述した芝刈り機においては、調整ノブの移動範囲は決まっており、それによる芝の刈り高さの調整幅もおのずと決まっているので、上記のような要望に応えられない場合があった。また、その要望に応えるために調整ノブの移動範囲を大きく設計しようとすると、デザイン上の制約が浮上したり、仮に移動範囲を大きくできたとしても、使用者が芝の刈り高さを大きく調整するためには調整ノブを大きく操作しなければならないという問題があった。
【０００５】
本発明は、上記問題を解決するためになされたもので、簡単な構成で芝の刈り高さを大きく変化させることができる芝刈り機を提供することを目的とする。
【課題を解決するための手段】
【０００６】
本発明は、上記問題を解決するために、芝刈り機の後輪側において後輪を支えるホルダーを設け、後輪側の高さを複数段に変更可能とした。すなわち、前輪には従来の芝の刈り高さの調整機構を装備し、後輪を支えるホルダーに後輪の車軸を軸支する軸支部を複数箇所設け、後輪側の高さを複数段に変更可能とすることができる芝刈り機を提供するものである。このような構成により、芝刈り機の使用者は、前輪に装備された従来の芝の刈り高さの調整機構による芝の刈り高さの調整幅と、後輪を支えるホルダーの軸支位置の選択による後輪側の高さ変更の組み合わせにより、芝の刈り高さを大きく変化させて、芝の刈り高さを調整することが可能となる。
【発明の効果】
【０００７】
本発明によれば、簡単な構成で芝の刈り高さを大きく変化させて、芝の刈り高さを調整することができるという効果を奏する。
【発明を実施するための最良の形態】
【０００８】
以下に、本発明を添付図面に示す実施形態に基づいて説明する。
【０００９】
図１において、１は本発明にかかる芝刈り機で、２は芝刈り作業において芝刈り機１を操作するハンドル、３は芝刈り機１の前輪、４は芝刈り機１の後輪である。５は前輪３の高さを調整する、例えば特許文献１に開示されているような調製機構のノブである。１１は刈り込まれた芝草を収集する袋である。
【００１０】
図２は本発明にかかる第一の実施例であり、後輪４は車軸４ａに回転自在に軸支され、車軸４ａは、芝刈り機１のハウジングカバー６の内側にある本体シャシー８の後輪側において下方に突出した取付部８ａに図示しないボルト等で固定されるホルダー７に設けられた複数の軸支部７ａ、７ａ・・・の一つに挿通されている。
【００１１】
次に、本発明の第一の実施例にかかる芝刈り機の高さ調整について説明する。前輪３に装備している図６に示した調整機構については特許文献１に詳しく説明してあるので省略し、本発明にかかる後輪４の高さ調整機構について以下説明する。
【００１２】
短めに芝を育成する場合には、芝の刈り高さを低く設定する必要があるので、後輪４の車軸４ａをホルダー７のシャシー８に近い方の孔７ａに差し込んでホルダー７をシャシー８の取付部８ａに図示しないボルト等で取り付ける。また、長めに芝を育成する場合には、芝の刈り高さを高く設定する必要があるので、後輪４の車軸４ａをホルダー７のシャシー８から遠い方の孔７ａに差し込んでホルダー７をシャシー８の取付部８ａに図示しないボルト等で取り付ける。使用者はこの状態でノブ５を移動させ芝刈り作業に最適な刈り刃の高さに調整するのである。
【００１３】
図３は本発明にかかる第二の実施例を構成するホルダー９の部品図で、軸支部９ａは後輪４の車軸４ａを軸支するようにホルダー９に穿設した孔であり、軸支部９ｂｂも後輪４の車軸４ａを軸支する他の軸支部であり、平面９ｂの中央において、軸支部９ａの軸方向に半円筒状にえぐって形成してある。
また、９ｃ、９ｄはホルダー９を取付部８ａに取り付けるときに取付部８ａに当接する当接面であり、９ｅはホルダー９を取付部８ａに取り付けるためのボルトが入る孔である。
【００１４】
図４は車軸４ａと本体シャシー８との距離を小さくして、芝刈り機１の後部の高さを低くした状態を表し、ホルダー９の当接面９ｃと取付部８ａの側面８ｄが当接するように図示しないボルト等で固定され、車軸４ａが、ホルダー９の平面９ｂの中央に形成された軸支部９ｂｂと本体シャシー８の取付部８ａの最下端面８ｃに形成された半円筒状の軸支部８ｃｃとで挟持されて軸支されている。
【００１５】
図５は車軸４ａと本体シャシー８との距離を大きくとって、芝刈り機１の後部の高さを高くした状態を表し、ホルダー９の当接面９ｄと取付部８ａの最下端面８ｃが当接するようホルダー９は図示しないボルト等で取付部８ａに固定され、車軸４ａがホルダー９の軸支部９ａに挿通されて軸支されている。
【００１６】
次に、本発明の第二の実施例にかかる芝刈り機の高さ調整について説明する。前輪３に装備している図６に示した調整機構については特許文献１に詳しく説明してあるので省略し、本発明にかかる後輪４の高さ調整機構について以下説明する。
【００１７】
短めに芝を育成する場合には、芝の刈り高さを低く設定する必要があるので、図４に示すように、後輪４の車軸４ａをホルダー９の平面９ｂの中央に形成された軸支部９ｂｂで軸支させた状態で、ホルダー９の当接面９ｃと取付部８ａの側面８ｄが当接するよう本体シャシー８の取付部８ａに図示しないボルト等でホルダー９を取り付ける。このように取り付けることにより、後輪４の車軸４ａは本体シャシー８の取付部８ａの最下端面８ｃに形成された軸支部８ｃｃとホルダー９の平面９ｂの中央に形成された軸支部９ｂｂとで挟持され、本体シャシー８の取付部８ａの最下端面８ｃと後輪４の車軸４ａとの間にはホルダー９は存在していないので、車軸４ａと本体シャシー８との距離は最小となり、本体シャシー８の後輪側は地面から低く位置づけられ、芝刈り機１の後部は低くなる。使用者はこの状態でノブ５を移動させ芝刈り作業に最適な刈り刃の高さに調整するのである。測定の結果、刈り刃の高さを約５ｍｍから約２５ｍｍに調整することができた。
【００１８】
長めに芝を育成する場合には、芝の刈り高さを高く設定する必要があるので、図５に示すように、後輪４の車軸４ａをホルダー９の軸支部９ａに挿通させた状態で、ホルダー９の当接面９ｄと取付部８ａの最下端面８ｃが当接するよう本体シャシー８の取付部８ａに図示しないボルトでホルダー９を取り付ける。このとき、本体シャシー８の取付部８ａの最下端面８ｃと後輪４の車軸４ａとの間には、図中Ｌで示すホルダー９の一部が存在している。すなわち、最下端面８ｃと車軸４ａの距離は長さＬだけ離れることとなり、車軸４ａと本体シャシー８との距離がその分大きくなり、本体シャシー８の後輪側は地面から長さＬだけ高い位置に位置づけられ、芝刈り機１の後部は高くなる。使用者はこの状態でノブ５を移動させ芝刈り作業に最適な刈り刃の高さに調整するのである。測定の結果、刈り刃の高さを約３０ｍｍから約５０ｍｍに調整することができた。
【産業上の利用可能性】
【００１９】
本発明にかかる芝刈り機は、簡単な構成で芝の刈り高さを大きく変化させて、芝の刈り高さを調整することができるので、一台の芝刈り機で長めに芝を育成する場合にも短めに芝を育成する場合にも対応でき極めて有用である。
【図面の簡単な説明】
【００２０】
【図１】本実施形態にかかる芝刈り機の側面図である。
【図２】第一の実施例の図１に示した側面図の破断線Ａ−Ａにおける部分断面図である。
【図３】第二の実施例のホルダー部品の部品図である。
【図４】第二の実施例の図１に示した側面図の破断線Ａ−Ａにおける部分断面図である。
【図５】第二の実施例の図１に示した側面図の破断線Ａ−Ａにおける部分断面図である。
【図６】特許文献１に開示されている前輪の高さ調整機構の断面図である。
【符号の説明】
【００２１】
１      芝刈り機
２      ハンドル
３      前輪
４      後輪
４ａ    車軸
５      ノブ
６      ハウジングカバー
７，９  ホルダー
８      本体シャシー
８ａ    取付部
８ｃ    最下端面
【図１】
2010057397.tif 000003
【図２】
2010057397.tif 000004
【図３】
2010057397.tif 000005
【図４】
2010057397.tif 000006
【図５】
2010057397.tif 000007
【図６】
2010057397.tif 000008